(57)【要約】本開示の実施形態は、無線ネットワークにおけるＵＥポジショニングのためのシステム及び方法を記載する。様々な実施形態は、協調マルチポイント通信システムのリモートレディオヘッドに関連する仮想識別子のシグナリングと、仮想識別子に基づきポジショニング基準信号を生成することとを含んでよい。他の実施形態は、記載及び／又は請求されてよい。
2017525180.tif 000002
【特許請求の範囲】
【請求項１】
位置に基づくサービス（ＬＢＳ）サーバであって、
トランシーバと、
前記トランシーバと結合される制御回路と
を有し、
前記制御回路は、
リモートレディオヘッド（ＲＲＨ）及びｅＮＢを含む協調マルチポイント（ＣｏＭＰ）システムのＲＲＨに関連する仮想識別子を決定し、
前記仮想識別子のインジケーションを含むロングタームエボリューション（ＬＴＥ）ポジショニングプロトコル（ＬＰＰ）メッセージを生成し、
前記トランシーバを通じてユーザ機器（ＵＥ）へ前記ＬＰＰメッセージを送信する、
ＬＢＳサーバ。
【請求項２】
前記ＬＰＰメッセージは、観測到着時間差（ＯＴＤＯＡ）アシスタンスデータを含み、前記ＲＲＨのためのポジショニング基準信号（ＰＲＳ）を示す、
請求項１に記載のＬＢＳサーバ。
【請求項３】
前記ＵＥは、前記ＬＰＰメッセージの送信の時点で前記ＣｏＭＰシステムによってサービングされ、
前記仮想識別子の前記インジケーションは、観測到着時間差（ＯＴＤＯＡ）リファレンスセル情報ＩＥにおいて含まれる、
請求項１に記載のＬＢＳサーバ。
【請求項４】
前記ＵＥは、前記ＬＰＰメッセージの送信の時点で前記ＣｏＭＰシステムによってサービングされず、
前記仮想識別子の前記インジケーションは、観測到着時間差（ＯＴＤＯＡ）隣接セル情報リストＩＥにおいて含まれる、
請求項１に記載のＬＢＳサーバ。
【請求項５】
前記トランシーバは、前記ｅＮＢからメッセージを受信し、
前記制御回路は、前記メッセージに基づき前記仮想識別子を決定する、
請求項１に記載のＬＢＳサーバ。
【請求項６】
前記制御回路は、前記ＣｏＭＰシステムの複数のＲＲＨに夫々が関連する複数の仮想識別子を決定し、該複数の仮想識別子のインジケーションを含めるよう前記ＬＰＰメッセージを生成する、
請求項１乃至５のうちいずれか一項に記載のＬＢＳサーバ。
【請求項７】
前記複数のＲＲＨは、共通の物理セルアイデンティティに関連する、
請求項６に記載のＬＢＳサーバ。
【請求項８】
協調マルチポイント（ＣｏＭＰ）システムのリモートレディオヘッド（ＲＲＨ）回路であって、
１つ以上のユーザ機器（ＵＥ）との通信を助ける無線トランシーバと、
前記無線トランシーバと結合される制御回路と
を有し、
前記制御回路は、
当該ＲＲＨに関連する仮想識別子に基づくポジショニング基準信号（ＰＲＳ）を前記無線トランシーバを介して送信する、
ＲＲＨ回路。
【請求項９】
前記制御回路は、前記ＰＲＳを周期的に送信する、
請求項８に記載のＲＲＨ回路。
【請求項１０】
前記制御回路は、
第１の擬似乱数列を生成するよう前記仮想識別子に基づき第１の初期化シーケンスにより初期化される擬似乱数列生成部と、
前記第１の擬似乱数列に基づき前記ＰＲＳを生成する基準信号生成部と
を有する、請求項８又は９に記載のＲＲＨ回路。
【請求項１１】
前記第１の初期化シーケンスは、
【数１１】
2017525180.tif 000013
によって定義され、
nsは、無線フレーム内のスロットの数であり、lは、前記スロット内の直交周波数分割多重化（ＯＦＤＭ）シンボル番号であり、NIDcellCoMPは、セル識別子NIDcell及び前記第１の仮想識別子NIDvirtualRRHIDの関数であり、NCPは、通常の巡回プレフィックスについては１であり、拡張された巡回プレフィックスについては０である、
請求項１０に記載のＲＲＨ回路。
【請求項１２】
前記ＰＲＳは、
【数１２】
2017525180.tif 000014
によって定義される、
請求項１１に記載のＲＲＨ回路。
【請求項１３】
リモートレディオヘッド（ＲＲＨ）の仮想識別子のインジケーションを含むロングタームエボリューション（ＬＴＥ）ポジショニングプロトコル（ＬＰＰ）メッセージを受信する構成回路と、
前記構成回路と結合されるポジショニング測定回路と
を有し、
前記ポジショニング測定回路は、
前記ＲＲＨからポジショニング基準信号（ＰＲＳ）を受信し、
前記仮想識別子に基づき前記ＰＲＳを処理し、
前記処理されたＰＲＳに基づきポジショニング測定データを生成する、
ユーザ機器（ＵＥ）回路。
【請求項１４】
前記ポジショニング測定データは、基準信号時間差（ＲＳＴＤ）データを含み、
前記ポジショニング測定回路は更に、
前記ＲＳＴＤデータを含む測定報告を生成し、
サービングするｅＮＢへ前記測定報告を送る、
請求項１３に記載のＵＥ回路。
【請求項１５】
前記構成回路は更に、複数のＲＲＨの仮想識別子のインジケーションを受信する、
請求項１３に記載のＵＥ回路。
【請求項１６】
前記構成回路は、観測到着時間差（ＯＴＤＯＡ）リファレンスセル情報ＩＥにおいて、又はＯＴＤＯＡ隣接セル情報リストＩＥにおいて、前記仮想識別子の前記インジケーションを受信する、
請求項１３に記載のＵＥ回路。
【請求項１７】
前記ポジショニング測定回路は、前記ＰＲＳに基づき当該ＵＥの位置の推定を生成する、
請求項１３乃至１６のうちいずれか一項に記載のＵＥ回路。
【請求項１８】
複数のリモートレディオヘッド（ＲＲＨ）と、
前記複数のＲＲＨを通じた無線アクセスネットワーク（ＲＡＮ）通信を助けるｅＮＢであり、リモートレディオトランシーバと結合される制御回路を含み、前記複数のＲＲＨの中の第１のＲＲＨを制御して、該ＲＲＨに関連する第１の仮想識別子に基づき第１のポジショニング基準信号（ＰＲＳ）を送信し、且つ、前記複数のＲＲＨの中の第２のＲＲＨを制御して、該第２のＲＲＨに関連する第２の仮想識別子に基づき第２のＰＲＳを生成する前記ｅＮＢと
を有し、
前記第１の仮想識別子は、前記第２の仮想識別子とは異なる、
協調マルチポイント（ＣｏＭＰ）システム。
【請求項１９】
前記第１のＲＲＨは、
第１の擬似乱数列を生成するよう前記第１の仮想識別子に基づき第１の初期化シーケンスにより初期化される擬似乱数列生成部と、
前記第１の擬似乱数列に基づき前記第１のＰＲＳを生成する基準信号生成部と
を含む、請求項１８に記載のＣｏＭＰシステム。
【請求項２０】
前記第２のＲＲＨは、
第２の疑似乱数列を生成するよう前記第２の仮想識別子に基づき第２の初期化シーケンスにより初期化される擬似乱数列生成部と、
前記第２の疑似乱数列に基づき前記第２のＰＲＳを生成する基準信号生成部と
を含む、請求項１９に記載のＣｏＭＰシステム。
【請求項２１】
前記第１の初期化シーケンスは、
【数１３】
2017525180.tif 000015
によって定義され、
nsは、無線フレーム内のスロットの数であり、lは、前記スロット内の直交周波数分割多重化（ＯＦＤＭ）シンボル番号であり、NIDcellCoMPは、セル識別子NIDcell及び前記第１の仮想識別子NIDvirtualRRHIDの関数であり、NCPは、通常の巡回プレフィックスについては１であり、拡張された巡回プレフィックスについては０である、
請求項１９に記載のＣｏＭＰシステム。
【請求項２２】
前記ＰＲＳは、
【数１４】
2017525180.tif 000016
によって定義される、
請求項２１に記載のＣｏＭＰシステム。
【請求項２３】
前記ｅＮＢを前記複数のＲＲＨへ通信上結合する複数の光ファイバリンク
を更に有する請求項１８乃至２２のうちいずれか一項に記載のＣｏＭＰシステム。
【請求項２４】
リモートレディオヘッド（ＲＲＨ）の仮想識別子のインジケーションを含むロングタームエボリューション（ＬＴＥ）ポジショニングプロトコル（ＬＰＰ）メッセージを受信し、
前記ＲＲＨからポジショニング基準信号（ＰＲＳ）を受信し、
前記仮想識別子に基づき前記ＰＲＳを処理し、
前記処理されたＰＲＳに基づきポジショニング測定データを生成する
ことを有する方法。
【請求項２５】
前記ポジショニング測定データを含む測定報告を生成し、
サービングするｅＮＢへ前記測定報告を送信する
ことを更に有する請求項２４に記載の方法。
【発明の詳細な説明】
【技術分野】
【０００１】
本開示の実施形態は、無線通信の分野に概して関係があり、ロングタームエボリューション協調マルチポイント通信システムにおけるユーザ機器ポジショニングに特に関係がある。
【背景技術】
【０００２】
協調マルチポイント（ＣｏＭＰ；coordinated  multipoint）システムは、リリース１１以降のロングタームエボリューション・アドバンスド（ＬＴＥ−Ａ；Long-Term  Evolution  Advanced）の進化内で、特にセルエッジで、性能を高めるよう、強化された多入力多出力（ＭＩＭＯ；multiple  input  multiple  output）技術として研究されている。しかし、ＣｏＭＰシナリオ内でのユーザ機器（ＵＥ；user  equipment）ポジショニングにはいくつかの課題がある。
【図面の簡単な説明】
【０００３】
実施形態は、添付の図面に関連して以下の詳細な説明によって容易に理解されるだろう。この記載を助けるよう、同じ参照番号は同じ構造要素を表す。実施形態は、添付の図面の図において、制限なしに、一例として表される。
【図１】様々な実施形態に従う無線通信ネットワークの例を表す。
【図２】様々な実施形態に従うメッセージフローの図である。
【図３】様々な実施形態に従う観測到着時間差（ＯＴＤＯＡ；observed  time  difference  of  arrival）隣接セル情報要素（ＩＥ；information  element）である。
【図４】様々な実施形態に従うＯＴＤＯＡリファレンスセルＩＥである。
【図５】様々な実施形態に従う、実例となるネットワークコンポーネントのブロック図である。
【図６】本願で記載される様々な実施形態を実施するために使用され得るコンピュータデバイスの例のブロック図である。
【発明を実施するための形態】
【０００４】
以下の詳細な説明では、添付の図面が参照される。図面は、本願の一部を形成する。図面において、同じ参照番号は、全体を通して、同じ部分を表す。図面には、実施される実施形態が一例として示されている。他の実施形態が利用されてよく、構造的又は論理的な変更が、本開示の適用範囲から逸脱することなしに行われてよいことが理解されるべきである。
【０００５】
様々な動作は、請求される対象を理解するのに最も有用である様態において、複数の別個のアクション又は動作として同様に記載されてよい。なお、記載の順序は、それらの動作が必ず順序に依存することを暗示するように解釈されるべきではない。特に、それらの動作は、提示の順序において実施されなくてよい。記載されている動作は、記載されている実施形態とは異なる順序で実施されてよい。様々な追加の動作が実施されてよく、且つ／あるいは、記載されている動作は、更なる実施形態では削除されてよい。
【０００６】
本開示のために、「Ａ及び／又はＢ」との言い回しは、（Ａ）、（Ｂ）、又は（Ａ及びＢ）を意味する。本開示のために、「Ａ、Ｂ、及び／又はＣ」との言い回しは、（Ａ）、（Ｂ）、（Ｃ）、（Ａ及びＢ）、（Ａ及びＣ）、（Ｂ及びＣ）、又は（Ａ、Ｂ、及びＣ）を意味する。本明細書は、同じ又は異なる実施形態の１つ以上を夫々が参照し得る「実施形態において」又は「複数の実施形態において」との言い回しを使用してよい。更には、本開示の実施形態に関して使用される語「有する（comprising）」、「含む（including）」、「備える（having）」、及び同様の語は、同義である。
【０００７】
本願で使用されるように、語「回路（circuitry）」は、１つ以上のソフトウェア又はファームウェアプログラムを実行する特定用途向け集積回路（ＡＳＩＣ；Application  Specific  Integrated  Circuit）、電子回路、プロセッサ（共有、専用、又はグループ）、及び／又はメモリ（共有、専用、又はグループ）、組み合わせ論理回路、及び／又は記載されている機能を提供する他の適切なハードウェア部品を指すか、あるいは、その部分であるか、あるいは、それらを含んでよい。
【０００８】
本開示の実施形態は、協調マルチポイント（ＣｏＭＰ）システムにおいてユーザ機器（ＵＥ）のポジションを測定及び／又は推定することを助けるよう、リモートレディオヘッド（ＲＲＨ；remote  radio  head(s)）に関連する仮想識別子の使用を記載する。
【０００９】
図１は、様々な実施形態に従う通信ネットワーク１００を概略的に表す。通信ネットワーク１００は、第３世代パートナーシッププロジェクト（３ＧＰＰ；3rd  Generation  Partnership  Project）ロングタームエボリューション（ＬＴＥ）ネットワーク（又はＬＴＥアドバンスド（ＬＴＥ−Ａ）ネットワーク）であってよい。ネットワーク１００は、無線通信アクセスをユーザ機器（ＵＥ）に提供する、発展型地上無線アクセス（Ｅ−ＵＴＲＡＮ；evolved  universal  terrestrial  radio  access  network）のような無線アクセスネットワーク（ＲＡＮ）１０４を含んでよい。ネットワーク１００は、ネットワーク１００の様々な管理及び制御機能を実行し、更には、アクセスネットワークと他のネットワーク（例えば、インターネット１１０）との間の通信インターフェイスを提供する、進化したパケットコア（ＥＰＣ；Evolved  Packet  Core）のようなコアネットワーク１０８を更に含んでよい。
【００１０】
ＲＡＮ１０４は、様々なＵＥ（例えば、ＵＥ１１２）を含んでよい。ＵＥ１１２は、一般に携帯電話機として示されるが、様々な実施形態においてユーザによって用いられる多種多様な無線通信デバイスであってよい。ＲＡＮ１０４は、多数のｅＮＢ（例えば、ｅＮＢ１１６及びｅＮＢ１２０）を更に含んでよい。ｅＮＢは、協調し、ＲＡＮ１０４の様々なアクセス機能に関与してよい。特に、例えば、ｅＮＢは、ＲＡＮ１０４のＵＥへ無線通信を提供してよい。
【００１１】
ｅＮＢ１２０は、複数のＲＲＨ（例えば、ＲＲＨ１２８、ＲＲＨ１３２、及びＲＲＨ１３６）を更に含む協調マルチポイント（ＣｏＭＰ）システム１２４の部分であってよい。ＲＲＨは、遠隔送信／受信能力をｅＮＢ１２０に提供してよい。ＲＲＨは、高速通信リンク（例えば、光ファイバリンク）を通じてｅＮＢ１２０と通信上結合されてよい。
【００１２】
ＲＡＮ１０４のコンポーネント、例えば、ｅＮＢ１１６及び１２０は、Ｓ１／Ｓ２インターフェイス１４０を通じて又は何らかの他の適切な通信インターフェイスを通じてコアネットワーク１０８のコンポーネントと結合されてよい。
【００１３】
コアネットワーク１０８は、例えば、ＲＡＮ１０４のコンポーネントのためのモビリティ及びセキュリティに関する制御プレーンシグナリングを提供するモビリティ管理エンティティ（ＭＭＥ；mobility  management  entity）を含んでよい。様々な実施形態において、ＭＭＥは、ＲＡＮ内のＵＥの追跡及びページングに関与してよい。ＭＭＥは、非アクセス層（ＮＡＳ；Non-Access  Stratum）の終端点であってよい。ＭＭＥは、ＲＡＮ１０４のｅＮＢとのＳ１インターフェイスと、コアネットワーク１０８のサービングゲートウェイ（Ｓ−ＧＷ；serving  gateway）とのＳ１１インターフェイスとをサポートしてよい。様々な具体的なインターフェイスが本願で説明されているが、適切な変形が、記載されている実施形態の適用範囲内で行われてよいことが理解されるだろう。
【００１４】
Ｓ−ＧＷは、ＵＥと外部ネットワーク（例えば、インターネット）との間でＩＰデータトラフィックを運ぶようユーザプレーンシグナリングを提供してよい。図１では、ＭＭＥ及びＳ−ＧＷは、ＭＭＥ／Ｓ−ＧＷ１４４において結合されてよい。
【００１５】
Ｓ−ＧＷは、他のゲートウェイ（例えば、パケットデータネットワークゲートウェイ（Ｐ−ＧＷ；packet  data  network  gateway）１４８）と論理的に接続されてよい。Ｐ−ＧＷ１４８もユーザプレーンシグナリングを提供してよく、コアネットワーク１０８と他のパケットデータネットワーク（ＰＤＮ；packet  data  network(s)）との間の相互接続の点としての役割を果たしてよい。
【００１６】
コアネットワーク１０８は、位置に基づくサービス（ＬＢＳ；location-based  service(s)）サーバ１５２を更に含んでよい。ＬＢＳサーバ１５２は、例えば、ＭＭＥ／Ｓ−ＧＷ１４４のような、コアネットワーク１０８の他のコンポーネントと結合されてよく、ネットワーク１００の様々なＲＡＮにおいて配置されているＵＥの位置を決定し、位置に基づくサービスをＵＥに提供してよい。位置に基づくサービスは、例えば、しかし制限なしに、救急サービス、宣伝／販売サービス、地図サービス、などを含んでよい。いくつかの実施形態において、ＬＢＳサーバ１５２は、様々なＲＡＮのＵＥに、アシスタンスデータリファレンス及び隣接セルのポジショニング基準信号（ＰＲＳ；positioning  reference  signal）構成に関する情報を提供してよい。これは、ＵＥによって行われるポジショニング測定を助けることができる。
【００１７】
コアネットワーク１０８のコンポーネントのいくつかは一緒に示されており（例えば、ＭＭＥ／Ｓ−ＧＷ１４４）、他は別々に示されている（例えば、Ｐ−ＧＷ１４８）が、様々な変更が本開示の実施形態の適用範囲内で行われてよいことが理解されるべきである。例えば、ＭＭＥ及びＳ−ＧＷは、別個のデバイスにおいて配置されてよく、Ｐ−ＧＷ及びＳ−ＧＷは、１つのデバイスにおいて配置されてよい、など。
【００１８】
上述されたように、ＣｏＭＰシステムは、ネットワーク通信の様々な性能メトリクスを改善してよい。なお、ポジショニング測定の分野では、現在のＣｏＭＰシステムは曖昧さ（ambiguity）を持ち込むことがある。これは、リファレンスセル及び隣接セルのセルＩＤによって識別されるパラメータに基づく現在のポジショニング測定動作に起因し得る。共通のセルＩＤを有するＲＲＨから送信されたＰＲＳに基づくポジショニング測定を実施するＵＥは、観測到着時間差（ＯＴＤＯＡ）、進化したセルＩＤ（ＥＣＩＤ；enhanced  cell  ID）、などのようなポジショニング測定をわん曲することがある。そのため、本開示の実施形態は、ＣｏＭＰシステムセルによってサービングされるＵＥ又はＣｏＭＰシステムセルの近傍によって実施されるポジショニング測定の正確さ及び信頼性を改善するよう、様々なＲＲＨに関連する仮想識別子の使用を導入する。
【００１９】
図２は、図１に関して上述されたネットワーク１００の様々なコンポーネント間のメッセージフローの図２００である。ＬＢＳサーバ１５２は、隣接セル情報、例えば、ｅＮＢ１１６に関する情報、を隣接セルＩＥ、例えば、ＯＴＤＯＡ隣接セル情報リスト（OTDOA-NeighborCellInfoList）ＩＥ、においてＵＥ１１２に提供してよい。図３は、いくつかの実施形態に従うＯＴＤＯＡ隣接セル情報リストＩＥ３００を表す。ＯＴＤＯＡ隣接セル情報リストＩＥ３００は、多数の隣接セルのポジショニングパラメータのリストを含んでよい。いくつかの実施形態において、リストは、標的デバイスによって実施される測定についての優先度の高い順に配置されてよく、リスト内の最初のセルは、測定について最も高い優先度である。他の実施形態は、他のリストソーティングを含んでよい。標的デバイスは、ＯＴＤＯＡ隣接セル情報リストＩＥ３００内のリストのソーティングに対応する順序で、利用可能な測定を提供してよい。
【００２０】
ＯＴＤＯＡ隣接セル情報リストＩＥ３００は、隣接セルのリスト内の各ＲＲＨに対応する仮想ＲＲＨ識別子（virtualRRHID）を含んでよい。仮想ＲＲＨ識別子は、ＲＲＨを、共通のｅＮＢに関連する他のＲＲＨから一意に識別する整数値であってよい。仮想ＲＲＨ識別子は、対応するＲＲＨによって送信されたＰＲＳを符号化及び復号するために使用されてよい。ＯＴＤＯＡ隣接セル情報リストＩＥ３００は、例えば、しかし制限なしに、隣接セルのセル識別子、ＰＲＳ情報（PRS-info）（例えば、アンテナポート構成、スロット番号オフセット、ＰＲＳサブフレームオフセット、など）のような、他のポジショニングパラメータを更に含んでよい。
【００２１】
ＬＢＳサーバ１５２は、アシスタンスデータリファレンスセル情報、例えば、ｅＮＢ１２０によって提供されるセルに関する情報、をＯＴＤＯＡリファレンスセル情報（OTDOA-ReferenceCellInfo）ＩＥにおいてＵＥ１１２に提供してよい。図４は、いくつかの実施形態に従うＯＴＤＯＡリファレンスセル情報ＩＥ４００を表す。ＯＴＤＯＡリファレンスセル情報ＩＥ４００は、リファレンスセルのポジショニングパラメータのリストを含んでよい。リファレンスセルは、ＵＥのサービングセルであってもなくてもよい。ＯＴＤＯＡ隣接セル情報リストＩＥ３００と同様に、ＯＴＤＯＡリファレンスセル情報ＩＥ４００は、リファレンスセル、例えば、ＣｏＭＰシステム１２４によって提供されるセル、のＲＲＨに夫々が対応する１つ以上の仮想ＲＲＨ識別子（virtualRRHID）を含んでよい。
【００２２】
ＯＴＤＯＡ隣接セル情報リスト及びＯＴＤＯＡリファレンスセル情報ＩＥは、ＬＢＳサーバ１５２によって生成されるＬＴＥポジショニングプロトコル（ＬＰＰ；LTE  positioning  protocol）メッセージにおいて配置されてよい。ＬＢＳサーバ１５２は、ＬＰＰメッセージをＵＥ１１２へ送信してよい。いくつかの実施形態において、ＬＰＰメッセージの生成及び／又は送信は、ＬＢＳサーバ１５２内のＬＰＰレイヤのような上位層によって実施されてよい。
【００２３】
いくつかの実施形態において、ＬＢＳサーバ１５２は、ＬＰＰメッセージをＭＭＥ／Ｓ−ＧＷ１４４に提供してよい。ＭＭＥ／Ｓ−ＧＷ１４４は、ＬＰＰメッセージをＮＡＳメッセージとしてまとめ、それをｅＮＢ１２０へ送ってよい。受信すると、ｅＮＢ１２０は、ＬＰＰメッセージを無線リソース制御（ＲＲＣ；radio  resource  control）メッセージとしてまとめ、それをＵＥ１１２に送ってよい。
【００２４】
様々な実施形態において、ＬＢＳサーバ１５２は、ＲＡＮ１０４の様々な送信地点からのＰＲＳのその後の生成及び送信を可能にするよう、ＬＰＰメッセージをリファレンス及び隣接セルのｅＮＢへも送信してよい。
【００２５】
ＬＰＰメッセージを受信すると、ＵＥ１１２は、ＬＰＰメッセージのポジショニングパラメータを用いてポジショニング測定回路を構成してよい。その後に、ＵＥ１１２は、ＲＡＮ１０４の様々な送信地点から受信されたＰＲＳを処理する能力を有してよい。例えば、ＵＥ１１２は、隣接するｅＮＢ（例えば、ｅＮＢ１１６）から、並びにＲＲＨ１２８及び１３２から、ＰＲＳを受信してよい。ＰＲＳを受信すると、ＵＥは、ＰＲＳに基づきポジショニング測定、例えば、基準信号時間差（ＲＳＴＤ；reference  signal  time  difference）を実施してよく、結果として得られるポジショニング測定データ（例えば、ＲＳＴＤデータ）は、測定報告において、例えば、ｅＮＢ１２０における発展型サービングモバイルロケーションセンタ（ＥＳＭＬＣ；enhanced  serving  mobile  location  center）に報告される。ＥＳＭＬＣは、それらのＲＳＴＤと、ＲＡＮ１０４  内の送信地点（例えば、ＲＲＨ及びｅＮＢ）の位置の知識とを使用して、ＵＥ１１２の位置を推定してよい。
【００２６】
いくつかの実施形態において、ＵＥ１１２は、ポジショニング測定に基づき少なくとも予備的な位置推定を実施し、推定を測定報告において送信してよい。
【００２７】
図５は、本開示のいくつかの実施形態に従って更に詳細にネットワーク１００の様々なコンポーネントを表す。例えば、ＵＥ１１２は、ポジショニング測定回路５０８と結合されている構成回路５０４を有して示されている。構成回路５０４及びポジショニング測定回路５０８は両方とも、１つ以上のアンテナ５１６を介した無線通信を助けるよう構成される無線トランシーバ５１２と結合されてよい。
【００２８】
ＲＲＨ１２８は、無線トランシーバ５２４と結合されており、更には遠隔無線トランシーバ５２８と結合されている制御回路５２０を含んでよい。無線トランシーバ５２４は、ＲＲＨ１２８の１つ以上のアンテナ５３２を介したＵＥ１１２との無線通信を助けるよう構成されてよい。遠隔無線トランシーバ５２８は、高速通信リンク（例えば、光ファイバリンク）にわたってｅＮＢ１２０と通信するよう構成されてよい。制御回路５２０は、様々な送信／受信動作に関与してよい。いくつかの実施形態において、制御回路５２０は、ＰＲＳを生成してＲＡＮ１０４のＵＥへ送信してよい。
【００２９】
ｅＮＢ１２０は、遠隔無線トランシーバ５４０及び通信トランシーバ５４４と結合されている制御回路５３６を含んでよい。遠隔無線トランシーバ５４０は、高速通信リンクにわたるＲＲＨ１２８との通信を助けるよう構成されてよい。同様に、通信トランシーバ５４４は、例えば、ＬＢＳサーバ１５２のような、コアネットワーク１０８の１つ以上の要素との通信を助けるよう構成されてよい。制御回路５３６は、例えば、ＣｏＭＰシステム１２４のＲＲＨの動作を含め、ＲＡＮ１０４の様々な通信態様を制御してよい。いくつかの実施形態において、制御回路５３６は、例えば、しかし制限なしに、ＬＰＰメッセージをＵＥ１１２へ転送すること、測定報告を受信すること、及びＵＥ１１２の位置を推定することのような、様々なポジショニングサービスのために使用され得るＥＳＭＬＣを含んでよい。
【００３０】
ＬＢＳサーバ１５２は、様々なＬＰＰレイヤ動作を実施するよう構成され得る制御回路５４８を含んでよい。制御回路５４８は、通信トランシーバ５５２と結合されてよく、様々なポジショニングサービス及び位置に基づくサービスを実施するよう構成されてよい。
【００３１】
図５でブロック双方向矢印として一般的に示されている通信リンクは、直接的又は間接的な通信リンクであってよい。例えば、ＲＲＨ１２８をｅＮＢ１２０と結合する高速通信リンクは、直接通信リンクであってよく、一方、ｅＮＢ１２０をＬＢＳサーバ１５２と結合する通信リンクは、例えば、ＭＭＥ／Ｓ−ＧＷ１４４を含む間接通信リンクであってよい。
【００３２】
図２も参照すると、制御回路５４８は、ＲＲＨ１２８に関連する仮想識別子を決定してよい。この決定は、仮想識別子がＬＢＳサーバ１５２によってローカルで生成されてＲＲＨに割り当てられる結果としてであってよく、あるいは、代替的に、ＬＢＳサーバ１５２は、ネットワーク１００内の他のコンポーネントから仮想識別子のインジケーションを供給されてよい。制御回路５４８は、次いで、ポジショニングパラメータの中でもとりわけ仮想識別子のインジケーションを含むＬＰＰメッセージを生成してよい。制御回路５４８は、次いで、ＬＰＰメッセージをＵＥ１１２へ通信トランシーバ５５２を介して送信してよい。
【００３３】
ｅＮＢ１２０は、ＬＢＳサーバ１５２から通信トランシーバ５４４を介してＬＰＰメッセージを受信してよい。制御回路５３６は、次いで、ｅＮＢ１２０によって制御される様々なＲＲＨを、例えば、しかし制限なしに、仮想ＲＲＨ識別子のような、適切なポジショニングパラメータを用いて、構成してよい。ＲＲＨ１２８に対して、ｅＮＢ１２０は、ＬＰＰメッセージをＲＲＨ１２８へ遠隔無線トランシーバ５４０を介して送信してよい。ＬＰＰメッセージは、ＲＲＨ１２８、ｅＮＢ１２０、又は他のＲＲＨによってもＵＥ１１２へ送信されてよい。
【００３４】
いくつかの実施形態において、制御回路５３６は、ＰＲＳ帯域幅、例えば、ＰＲＳ信号の送信のために使用されるリファレンスブロックの数、及びＰＲＳが送信される周期を構成してよい。
【００３５】
ＲＲＨ１２８の制御回路５２０は、ｅＮＢ１２０から遠隔無線トランシーバ５２８を介してＬＰＰメッセージを受信してよい。制御回路５２０は、ＰＲＳの後の生成のために、仮想ＲＲＨ識別子を含むポジショニングパラメータを記憶してよい。
【００３６】
制御回路５２０は、擬似乱数列生成部（ＰＲＳＧ；pseudo-random  sequence  generator）５５６及び基準信号生成部（ＲＳＧ；reference  signal  generator）５６０を含んでよい。ＰＲＳＧ５５６は、擬似乱数列を生成するようＲＲＨ１２８の仮想識別子に基づき初期化シーケンスにより初期化されてよい。いくつかの実施形態において、初期化シーケンスは、次の式１によって定義されてよい：
【００３７】
【数１】
2017525180.tif 000003
この式において、nsは、無線フレーム内のスロットの数であり、lは、前記スロット内の直交周波数分割多重化（ＯＦＤＭ）シンボル番号であり、NIDcellCoMPは、セル識別子NIDcell及び前記第１の仮想識別子NIDvirtualRRHIDの関数であり、NCPは、通常の巡回プレフィックスについては１であり、拡張された巡回プレフィックスについては０である。
【００３８】
いくつかの実施形態において、擬似乱数列は、ｌｉｎｋ−３１Ｇｏｌｄシーケンスによって定義されてよい。n＝0，1，・・・，MPN−1として、長さMPNの出力シーケンスc(n)は、次の式２によって定義される：
【００３９】
【数２】
2017525180.tif 000004
この式において、Nc＝1600であり、最初のm列は、x1(0)＝1、x1(n)＝0、n＝1，2，・・・，30を用いて初期化されてよい。第２のｍ列の初期化は、シーケンスの適用に依存する値を用いて次の式によって表されてよい：
【００４０】
【数３】
2017525180.tif 000005
ＰＲＳＧ５５６によって生成された擬似乱数列c(n)は、ＲＳＧ５６０へ供給されてよい。ＲＳＧ５６０は、擬似乱数列に基づきＰＲＳを生成してよい。いくつかの実施形態において、ＰＲＳは、次の式３によって物理レイヤにおいて定義されてよい：
【００４１】
【数４】
2017525180.tif 000006
制御回路５２０は、ｅＮＢ１２０によって与えられたＰＲＳ帯域幅及び周期性設定に従って、ＰＲＳを無線トランシーバ５２４を介して送信してよい。いくつかの実施形態において、ＰＲＳは、設定可能な数の連続したサブフレームを用いてアンテナポート６で送信されてよい。
【００４２】
いくつかの実施形態において、制御回路５２０の機能の一部又は全ては、制御回路５３６において採用されてよい。そのような実施形態では、ＲＲＨ１２８は、無線トランシーバ５２４及びアンテナ５３２によって提供される動作のために主として使用されてよい。
【００４３】
ＵＥ１１２の構成回路５０４は、例えば、ｅＮＢ１２０からＬＰＰメッセージを受信してよい。構成回路５０４は、ＬＰＰメッセージに基づきポジショニングパラメータを構成してよい。ポジショニング測定回路５０８は、ＲＲＨ１２８（及びＲＡＮ１０４内の他の送信地点）から送信されたＰＲＳを観測してよい。ＲＲＨ１２８から送信されたＰＲＳの観測は、仮想ＲＲＨ識別子を含むポジショニングパラメータの事前の構成により容易にされてよい。これは、ポジショニング測定回路５０８が、ＰＲＳを、例えば、ＲＲＨ１３２からやって来るものとは対照的に、ＲＲＨ１２８からやって来るものとして一意に識別することを可能にすることができる。ポジショニング測定回路５０８は、観測されたＰＲＳに基づき測定を実施してよい。様々な実施形態において、測定は、制限なしに、ＲＳＴＤのようなＯＴＤＯＡ測定を含んでよい。
【００４４】
ポジショニング測定回路５０８は、次いで、測定報告を生成し、サービングセルのｅＮＢ（例えば、ｅＮＢ１２０）へ測定報告を送信してよい。
【００４５】
上述されたように、いくつかの実施形態において、ポジショニング測定回路５０８は、ＰＲＳに基づき単に測定を実施してよく、測定報告はｅＮＢへフィードバックされる。その時点で、ｅＮＢはＵＥの位置を推定してよい。他の実施形態では、ポジショニング測定回路５０８は、ＵＥの位置の少なくとも予備的な推定を実施してよい。
【００４６】
ＲＲＨの仮想識別子に基づきＲＲＨからＰＲＳを送信することは、多数の方法においてポジショニング動作を助けることができる。例えば、ＲＲＨの仮想ＩＤを知っているＵＥは、他のＰＲＳからの干渉がより少なくとも、個々のＰＲＳを識別することが可能であってよい。更には、測定結果は、より多数の相異なるＰＲＳが計算において使用され得るならば、より高い精度に関連してよい。
【００４７】
本願で記載されているＵＥ、ＲＲＨ、ｅＮＢ、及び／又はＬＢＳサーバは、望まれるように構成するために如何なる適切なハードウェア及び／又はソフトウェアも用いてシステム内に実装されてよい。図６は、一実施形態のために、少なくとも図示されるように互いと結合されているインターフェイス回路６０２（いくつかの実施形態において、無線周波数（ＲＦ；radio  frequency）回路６０４及びベースバンド回路６０８を含んでよい。）、アプリケーション回路６１２、メモリ／ストレージ６１６、ディスプレイ６２０、カメラ６２４、センサ６２８、及び入力／出力（Ｉ／Ｏ）インターフェイス６３２を有する、例となるシステム６００を表す。
【００４８】
アプリケーション回路６１２は、例えば、しかし制限なしに、１つ以上のシングルコア又はマルチコアプロセッサのような回路を含んでよい。プロセッサは、汎用プロセッサ及び専用プロセッサ（例えば、グラフィクスプロセッサ、アプリケーションプロセッサ、など）の如何なる組み合わせも含んでよい。プロセッサは、メモリ／ストレージ６１６と結合されており、システム６００で実行される様々なアプリケーション及び／又はオペレーティングシステムを有効にするために、メモリ／ストレージ６１６に記憶されている命令を実行するよう構成されてよい。
【００４９】
インターフェイス回路６０２は、例えば、しかし制限なしに、夫々のデバイス及びネットワーキングアプリケーションのための適切な通信インターフェイスを提供するよう設計された１つ以上のシングルコア又はマルチコアプロセッサのような回路を含んでよい。インターフェイス回路６０２は、ベースバンド及びＲＦ回路を有して図６では示されているが、それらのコンポーネントは、無線送信／受信に直接には関与しないデバイスには含まれなくてよい。
【００５０】
ベースバンド回路６０８は、例えば、しかし制限なしに、１つ以上のシングルコア又はマルチコアプロセッサのような回路を含んでよい。プロセッサはベースバンドプロセッサを含んでよい。ベースバンド回路６０８は、ＲＦ回路を介した１つ以上の無線ネットワークとの通信を可能にする様々な無線制御機能を扱ってよい。無線制御機能は、信号変調、符号化、復号化、無線周波数シフト、などを含んでよいが、それらに制限されない。いくつかの実施形態において、ベースバンド回路６０８は、１つ以上の無線技術に適合する通信を提供してよい。例えば、いくつかの実施形態において、ベースバンド回路６０８は、Ｅ−ＵＴＲＡＮ及び／又は他の無線メトロポリタンエリアネットワーク（ＷＭＡＮ；wireless  metropolitan  area  network(s)）、無線ローカルエリアネットワーク（ＷＬＡＮ；wireless  local  area  network）、若しくは無線パーソナルエリアネットワーク（ＷＰＡＮ；wireless  persona  area  network）との通信をサポートしてよい。ベースバンド回路６０８が１つよりも多い無線プロトコルの無線通信をサポートするよう構成される実施形態は、マルチモードベースバンド回路と呼ばれてよい。
【００５１】
様々な実施形態において、ベースバンド回路６０８は、ベースバンド周波数にあるとは厳密には見なされない信号により動作する回路を含んでよい。例えば、いくつかの実施形態において、ベースバンド回路６０８は、ベースバンド周波数と無線周波数との間にある中間周波数を有する信号により動作する回路を含んでよい。
【００５２】
ＲＦ回路６０４は、変調された電磁放射を用いて非個体媒体を通じて無線ネットワークとの通信を可能にしてよい。様々な実施形態において、ＲＦ回路６０４は、無線ネットワークとの通信を助けるようスイッチ、フィルタ、増幅器、などを含んでよい。
【００５３】
様々な実施形態において、ＲＦ回路６０４は、無線周波数にあるとは厳密には見なされない信号により動作する回路を含んでよい。例えば、いくつかの実施形態において、ＲＦ回路６０４は、ベースバンド周波数と無線周波数との間にある中間周波数を有する信号により動作する回路を含んでよい。
【００５４】
いくつかの実施形態において、ベースバンド回路６０８、アプリケーション回路６１２、及び／又はメモリ／ストレージ６１６の構成コンポーネントの一部又は全ては、システム・オン・チップ（ＳｏＣ；system  on  a  chip）において一緒に実装されてよい。
【００５５】
システム６００がｅＮＢ（例えば、ｅＮＢ１２０）に相当する実施形態では、遠隔無線トランシーバ５４０、通信トランシーバ５４４、及び制御回路５３６は、インターフェイス回路６０２及び／又はアプリケーション回路６１２において実装されてよい。
【００５６】
システム６００がＵＥ（例えば、ＵＥ１１２）に相当する実施形態では、構成回路５０４、ポジショニング測定回路５０８、及び／又は無線トランシーバ５１２は、ＲＦ回路６０４、ベースバンド回路６０８、及び／又はアプリケーション回路６１２において実装されてよい。
【００５７】
システム６００がＲＲＨ（例えば、ＲＲＨ１２８）に相当する実施形態では、制御回路５２０、無線トランシーバ５２４、及び遠隔無線トランシーバ５２８は、インターフェイス回路６０２及び／又はアプリケーション回路６１２において実装されてよい。
【００５８】
システム６００がＬＢＳサーバ（例えば、ＬＢＳサーバ１５２）に相当する実施形態では、制御回路５４８及び通信トランシーバ５５２は、アプリケーション回路６１２及び／又はインターフェイス回路６０２において実装されてよい。
【００５９】
メモリ／ストレージ６１６は、例えば、システム６００のために、データ及び／又は命令をロードし記憶するために使用されてよい。１つ以上の実施形態のためのメモリ／ストレージ６１６は、適切な揮発性メモリ（例えば、動的ランダムアクセスメモリ（ＤＲＡＭ；dynamic  random  access  memory））及び／又は不揮発性メモリ（例えば、フラッシュメモリ）の如何なる組み合わせも含んでよい。
【００６０】
様々な実施形態において、Ｉ／Ｏインターフェイス６３２は、システム６００とのユーザインタラクションを可能にするよう設計された１つ以上のユーザインターフェイス、及び／又はシステム６００との周辺コンポーネントインタラクションを可能にするよう設計された周辺コンポーネントインターフェイスを含んでよい。ユーザインターフェイスは、物理キーボード又はキーパッド、タッチパッド、スピーカ、マイクロホン、などを含んでよいが、それらに制限されない。周辺コンポーネントインターフェイスは、不揮発性メモリポート、ユニバーサルシリアルバス（ＵＳＢ；universal  serial  bus）ポート、オーディオジャック、及び電源インターフェイスを含んでよいが、それらに制限されない。
【００６１】
様々な実施形態において、センサ６２８は、システム６００に関する環境条件及び／又は位置情報を決定する１つ以上の検知デバイスを含んでよい。いくつかの実施形態において、センサは、ジャイロセンサ、加速度計、近接センサ、周辺光センサ、及びポジショニングユニットを含んでよいが、それらに制限されない。ポジショニングユニットはまた、ポジショニングネットワークのコンポーネント（例えば、グローバルポジショニングシステム（ＧＰＳ；global  positioning  system）衛星）と通信するよう、ベースバンド回路６０８及び／又はＲＦ回路６０４の部分であるか、又はそれらと相互作用してよい。
【００６２】
様々な実施形態において、ディスプレイ６２０は、ディスプレイ（例えば、液晶ディスプレイ、タッチスクリーンディスプレイ、など）を含んでよい。
【００６３】
様々な実施形態において、システム６００は、例えば、しかし制限なしに、ラップトップ型コンピュータデバイス、タブレット型コンピュータデバイス、ネットブック、ウルトラブック、スマートフォン、などのような、モバイルコンピュータデバイスであってよい。様々な実施形態において、システム６００は、より多い若しくはより少ないコンポーネント、及び／又は異なるアーキテクチャを有してよい。
【００６４】
以下の段落は、様々な実施形態の例を記載する。
【００６５】
例１は、位置に基づくサービス（ＬＢＳ）サーバであって、トランシーバと、該トランシーバと結合される制御回路とを有し、前記制御回路は、リモートレディオヘッド（ＲＲＨ）及びｅＮＢを含む協調マルチポイント（ＣｏＭＰ）システムのＲＲＨに関連する仮想識別子を決定し、該仮想識別子のインジケーションを含むロングタームエボリューション（ＬＴＥ）ポジショニングプロトコル（ＬＰＰ）メッセージを生成し、前記トランシーバを通じてユーザ機器（ＵＥ）へ前記ＬＰＰメッセージを送信する、ＬＢＳサーバを含む。
【００６６】
例２は、例１のＬＢＳサーバであって、前記ＬＰＰメッセージは、観測到着時間差（ＯＴＤＯＡ）アシスタンスデータを含み、前記ＲＲＨのためのポジショニング基準信号（ＰＲＳ）を示す、ＬＢＳサーバを含む。
【００６７】
例３は、例１のＬＳＢサーバであって、前記ＵＥは、前記ＬＰＰメッセージの送信の時点で前記ＣｏＭＰシステムによってサービングされ、前記仮想識別子の前記インジケーションは、観測到着時間差（ＯＴＤＯＡ）リファレンスセル情報ＩＥにおいて含まれる、ＬＢＳサーバを含む。
【００６８】
例４は、例１のＬＳＢサーバであって、前記ＵＥは、前記ＬＰＰメッセージの送信の時点で前記ＣｏＭＰシステムによってサービングされず、前記仮想識別子の前記インジケーションは、観測到着時間差（ＯＴＤＯＡ）隣接セル情報リストＩＥにおいて含まれる、ＬＢＳサーバを含む。
【００６９】
例５は、例１のＬＳＢサーバであって、前記トランシーバは、前記ｅＮＢからメッセージを受信し、前記制御回路は、前記メッセージに基づき前記仮想識別子を決定する、ＬＢＳサーバを含む。
【００７０】
例６は、例１乃至６のうちいずれかのＬＢＳサーバであって、前記制御回路は、前記ＣｏＭＰシステムの複数のＲＲＨに夫々が関連する複数の仮想識別子を決定し、該複数の仮想識別子のインジケーションを含めるよう前記ＬＰＰメッセージを生成する、ＬＢＳサーバを含む。
【００７１】
例７は、例６のＬＳＢサーバであって、前記複数のＲＲＨは、共通の物理セルアイデンティティに関連する、ＬＢＳサーバを含む。
【００７２】
例８は、協調マルチポイント（ＣｏＭＰ）システムのリモートレディオヘッド（ＲＲＨ）回路であって、１つ以上のユーザ機器（ＵＥ）との通信を助ける無線トランシーバと、該無線トランシーバと結合される制御回路とを有し、前記制御回路は、当該ＲＲＨに関連する仮想識別子に基づくポジショニング基準信号（ＰＲＳ）を前記無線トランシーバを介して送信する、ＲＲＨ回路を含む。
【００７３】
例９は、例８のＲＲＨ回路であって、前記制御回路は、前記ＰＲＳを周期的に送信する、ＲＲＨ回路を含む。
【００７４】
例１０は、例８又は９のＲＲＨ回路であって、前記制御回路は、第１の擬似乱数列を生成するよう前記仮想識別子に基づき第１の初期化シーケンスにより初期化される擬似乱数列生成部と、前記第１の擬似乱数列に基づき前記ＰＲＳを生成する基準信号生成部とを有する、ＲＲＨ回路を含む。
【００７５】
例１１は、例９のＲＲＨ回路であって、前記第１の初期化シーケンスは、
【００７６】
【数５】
2017525180.tif 000007
によって定義され、nsは、無線フレーム内のスロットの数であり、lは、前記スロット内の直交周波数分割多重化（ＯＦＤＭ）シンボル番号であり、NIDcellCoMPは、セル識別子NIDcell及び前記第１の仮想識別子NIDvirtualRRHIDの関数であり、NCPは、通常の巡回プレフィックスについては１であり、拡張された巡回プレフィックスについては０である、ＲＲＨ回路を含む。
【００７７】
例１２は、例１１のＲＲＨ回路であって、前記ＰＲＳは、
【００７８】
【数６】
2017525180.tif 000008
によって定義される、ＲＲＨ回路を含む。
【００７９】
例１３は、ユーザ機器（ＵＥ）回路であって、リモートレディオヘッド（ＲＲＨ）の仮想識別子のインジケーションを含むロングタームエボリューション（ＬＴＥ）ポジショニングプロトコル（ＬＰＰ）メッセージを受信する構成回路と、該構成回路と結合されるポジショニング測定回路とを有し、前記ポジショニング測定回路は、前記ＲＲＨからポジショニング基準信号（ＰＲＳ）を受信し、前記仮想識別子に基づき前記ＰＲＳを処理し、該処理されたＰＲＳに基づきポジショニング測定データを生成する、ＵＥ回路を含む。
【００８０】
例１４は、例１３のＵＥ回路であって、前記ポジショニング測定データは、基準信号時間差（ＲＳＴＤ）データを含み、前記ポジショニング測定回路は更に、前記ＲＳＴＤデータを含む測定報告を生成し、サービングするｅＮＢへ前記測定報告を送る、ＵＥ回路を含む。
【００８１】
例１５は、例１３のＵＥ回路であって、前記構成回路は更に、複数のＲＲＨの仮想識別子のインジケーションを受信する、ＵＥ回路を含む。
【００８２】
例１６は、例１３のＵＥ回路であって、前記構成回路は、観測到着時間差（ＯＴＤＯＡ）リファレンスセル情報ＩＥにおいて、又はＯＴＤＯＡ隣接セル情報リストＩＥにおいて、前記仮想識別子の前記インジケーションを受信する、ＵＥ回路を含む。
【００８３】
例１７は、例１３乃至１６のうちいずれかのＵＥ回路であって、前記ポジショニング測定回路は、前記ＰＲＳに基づき当該ＵＥの位置の推定を生成する、ＵＥ回路を含む。
【００８４】
例１８は、協調マルチポイント（ＣｏＭＰ）システムであって、複数のリモートレディオヘッド（ＲＲＨ）と、該複数のＲＲＨを通じた無線アクセスネットワーク（ＲＡＮ）通信を助けるｅＮＢであり、リモートレディオトランシーバと結合される制御回路を含み、前記複数のＲＲＨの中の第１のＲＲＨを制御して、該ＲＲＨに関連する第１の仮想識別子に基づき第１のポジショニング基準信号（ＰＲＳ）を送信し、且つ、前記複数のＲＲＨの中の第２のＲＲＨを制御して、該第２のＲＲＨに関連する第２の仮想識別子に基づき第２のＰＲＳを生成する前記ｅＮＢとを有し、前記第１の仮想識別子は、前記第２の仮想識別子とは異なる、ＣｏＭＰシステムを含む。
【００８５】
例１９は、例１８のＣｏＭＰシステムであって、前記第１のＲＲＨは、第１の擬似乱数列を生成するよう前記第１の仮想識別子に基づき第１の初期化シーケンスにより初期化される擬似乱数列生成部と、前記第１の擬似乱数列に基づき前記第１のＰＲＳを生成する基準信号生成部とを含む、ＣｏＭＰシステムを含む。
【００８６】
例２０は、例１９のＣｏＭＰシステムであって、前記第２のＲＲＨは、第２の疑似乱数列を生成するよう前記第２の仮想識別子に基づき第２の初期化シーケンスにより初期化される擬似乱数列生成部と、前記第２の疑似乱数列に基づき前記第２のＰＲＳを生成する基準信号生成部とを含む、ＣｏＭＰシステムを含む。
【００８７】
例２１は、例１９のＣｏＭＰシステムであって、前記第１の初期化シーケンスは、
【００８８】
【数７】
2017525180.tif 000009
によって定義され、nsは、無線フレーム内のスロットの数であり、lは、前記スロット内の直交周波数分割多重化（ＯＦＤＭ）シンボル番号であり、NIDcellCoMPは、セル識別子NIDcell及び前記第１の仮想識別子NIDvirtualRRHIDの関数であり、NCPは、通常の巡回プレフィックスについては１であり、拡張された巡回プレフィックスについては０である、ＣｏＭＰシステムを含む。
【００８９】
例２２は、例２１のＣｏＭＰシステムであって、前記ＰＲＳは、
【００９０】
【数８】
2017525180.tif 000010
によって定義される、ＣｏＭＰシステムを含む。
【００９１】
例２３は、例１８乃至２２のいずれかのＣｏＭＰシステムであって、前記ｅＮＢを前記複数のＲＲＨへ通信上結合する複数の光ファイバリンクを更に有するＣｏＭＰシステムを含む。
【００９２】
例２４は、方法であって、リモートレディオヘッド（ＲＲＨ）の仮想識別子のインジケーションを含むロングタームエボリューション（ＬＴＥ）ポジショニングプロトコル（ＬＰＰ）メッセージを受信し、前記ＲＲＨからポジショニング基準信号（ＰＲＳ）を受信し、前記仮想識別子に基づき前記ＰＲＳを処理し、前記処理されたＰＲＳに基づきポジショニング測定データを生成することを有する方法を含む。
【００９３】
例２５は、例２４の方法であって、前記ポジショニング測定データを含む測定報告を生成し、サービングするｅＮＢへ前記測定報告を送信することを更に有する方法を含む。
【００９４】
例２６は、１つ以上の非一時的なコンピュータ可読媒体であって、実行される場合に、リモートレディオヘッド（ＲＲＨ）に、当該ＲＲＨに関連する仮想識別子に基づくポジショニング基準信号（ＰＲＳ）を無線トランシーバを介して送信させる命令を有するコンピュータ可読媒体を含む。
【００９５】
例２７は、例２６の１つ以上の非一時的なコンピュータ可読媒体であって、前記命令は、実行される場合に、前記ＲＲＨに更に、前記ＰＲＳを周期的に送信させる、コンピュータ可読媒体を含む。
【００９６】
例２８は、例２６又は２７の１つ以上の非一時的なコンピュータ可読媒体であって、前記命令は、実行される場合に、前記ＲＲＨに更に、第１の擬似乱数列を生成するよう前記仮想識別子に基づき第１の初期化シーケンスにより擬似乱数列生成部を初期化させ、前記第１の擬似乱数列に基づき前記ＰＲＳを生成させる、コンピュータ可読媒体を含む。
【００９７】
例２９は、例２８の１つ以上の非一時的なコンピュータ可読媒体であって、前記第１の初期化シーケンスは、
【００９８】
【数９】
2017525180.tif 000011
によって定義され、nsは、無線フレーム内のスロットの数であり、lは、前記スロット内の直交周波数分割多重化（ＯＦＤＭ）シンボル番号であり、NIDcellCoMPは、セル識別子NIDcell及び前記第１の仮想識別子NIDvirtualRRHIDの関数であり、NCPは、通常の巡回プレフィックスについては１であり、拡張された巡回プレフィックスについては０である、コンピュータ可読媒体を含む。
【００９９】
例３０は、例２９の１つ以上の非一時的なコンピュータ可読媒体であって、前記ＰＲＳは、
【０１００】
【数１０】
2017525180.tif 000012
によって定義される、コンピュータ可読媒体を含む。
【０１０１】
要約において記載されているものを含め、表されている実施形態の本願における記載は、網羅的であるよう、あるいは、開示されている厳密な形態に本開示を制限するよう、意図されない。具体的な実施及び例は、例示のために本願では記載されており、一方、様々な同等の変更は、当業者により認識されるように、本開示の適用範囲内で可能である。それらの変更は、前述の詳細な説明を鑑みて本開示に対して行われてよい。
【図１】
2017525180.tif 000017
【図２】
2017525180.tif 000018
【図３】
2017525180.tif 000019
【図４】
2017525180.tif 000020
【図５】
2017525180.tif 000021
【図６】
2017525180.tif 000022
【国際調査報告】
2017525180.tif 000023
2017525180.tif 000024